(57)【要約】【課題】熱交換器へ導かれる低温水の流量の異常を早期かつ確実に判定する。【解決手段】熱交換器と、熱交換器へ低温水を供給する入口管２０４と、熱交換器から高温水を排出する出口管２０７と、入口管２０４と出口管２０７とを接続するバイパス管２１１と、給水サーミスタ１２０と、熱交換サーミスタ１１９と、給湯サーミスタ１２３と、バイパスサーボ１２２と、バイパスサーボ１２２を制御する制御部と、給湯サーミスタ１２３が所定時刻に検出する混合水の温度と、熱交換サーミスタ１１９が所定時刻よりも第１時間遡った第１時刻に検出する高温水の温度と、給水サーミスタ１２０が所定時刻よりも第２時間遡った第２時刻に検出する低温水の温度に基づいて、熱交換器へ導かれる低温水の流量の異常を判定する判定部と、を備える給湯装置１０１を提供する。【選択図】図１
2020051686.tif 000002
【特許請求の範囲】
【請求項１】
バーナと、
前記バーナが発生する熱により内部を流通する水を加熱する熱交換器と、
前記熱交換器へ低温水を供給する入口管と、
前記熱交換器から高温水を排出する出口管と、
前記入口管と前記出口管とを接続するとともに前記熱交換器を通過させずに前記入口管から前記出口管へ前記低温水を導くバイパス管と、
前記入口管へ供給される前記低温水の温度を検出する給水温度検出部と、
前記出口管から排出される前記高温水の温度を検出する出湯温度検出部と、
前記出口管から排出される前記高温水と前記バイパス管から前記出口管へ導かれる前記低温水とを混合した混合水の温度を検出する給湯温度検出部と、
前記入口管から前記バイパス管へ導かれる前記低温水の流量を調整する調整弁と、
前記調整弁を制御する制御部と、
前記給湯温度検出部が所定時刻に検出する前記混合水の温度と、前記出湯温度検出部が前記所定時刻よりも第１時間遡った第１時刻に検出する前記高温水の温度と、前記給水温度検出部が前記所定時刻よりも第２時間遡った第２時刻に検出する前記低温水の温度に基づいて、前記熱交換器へ導かれる前記低温水の流量の異常を判定する判定部と、を備え、
前記第１時間は、前記出湯温度検出部を通過した前記高温水が前記給湯温度検出部へ到達するまでの時間であり、
前記第２時間は、前記給水温度検出部を通過した前記低温水が前記バイパス管を介して前記給湯温度検出部へ到達するまでの時間であることを特徴とする給湯装置。
【請求項２】
前記判定部は、バイパス比演算値に基づいて前記熱交換器へ導かれる前記低温水の流量の異常を判定し、
前記バイパス比演算値は、前記出湯温度検出部が前記第１時刻に検出する前記高温水の温度から前記給湯温度検出部が前記所定時刻に検出する前記混合水の温度を減算した第１温度を、前記給湯温度検出部が前記所定時刻に検出する前記混合水の温度から前記給水温度検出部が前記第２時刻に検出する前記低温水の温度を減算した第２温度で除した値であることを特徴とする請求項１に記載の給湯装置。
【請求項３】
前記判定部は、前記バイパス比演算値からバイパス比指示値を減算した値が所定の閾値以上となる場合に、前記低温水の流量が異常であると判定し、
前記バイパス比指示値は、前記調整弁の開度から算出される値であって、前記熱交換器へ供給される前記低温水の流量に対する前記バイパス管へ導かれる前記低温水の流量の比率を示す値であることを特徴とする請求項２に記載の給湯装置。
【請求項４】
前記制御部は、前記判定部が前記熱交換器に導かれる前記低温水の流量が異常であると判定した場合に、前記バーナによる燃焼動作を停止させるよう制御することを特徴とする請求項１から請求項３のいずれか一項に記載の給湯装置。
【請求項５】
前記調整弁は、ステッピングモータを回転させることにより開度を調整可能であり、
前記制御部は、前記判定部が前記熱交換器に導かれる前記低温水の流量が異常であると判定した場合に、前記ステッピングモータが所定の初期状態となるように制御することを特徴とする請求項１から請求項４のいずれか一項に記載の給湯装置。
【請求項６】
前記給湯温度検出部が前記所定時刻に検出する前記混合水の温度と、前記出湯温度検出部が前記第１時刻に検出する前記高温水の温度と、前記給水温度検出部が前記第２時刻に検出する前記低温水の温度とに基づいて、前記調整弁の異常を判定することを特徴とする請求項１から請求項５のいずれか一項に記載の給湯装置。
【請求項７】
給湯装置の制御方法であって、
前記給湯装置は、
バーナと、
前記バーナが発生する熱により内部を流通する水を加熱する熱交換器と、
前記熱交換器へ低温水を供給する入口管と、
前記熱交換器から高温水を排出する出口管と、
前記入口管と前記出口管とを接続するとともに前記熱交換器を通過させずに前記入口管から前記出口管へ前記低温水を導くバイパス管と、
前記入口管へ供給される前記低温水の温度を検出する給水温度検出部と、
前記出口管から排出される前記高温水の温度を検出する出湯温度検出部と、
前記出口管から排出される前記高温水と前記バイパス管から前記出口管へ導かれる前記低温水とを混合した混合水の温度を検出する給湯温度検出部と、
前記入口管から前記バイパス管へ導かれる前記低温水の流量を調整する調整弁と、を有し、
前記給湯温度検出部が所定時刻に検出する前記混合水の温度と、前記出湯温度検出部が前記所定時刻よりも第１時間遡った第１時刻に検出する前記高温水の温度と、前記給水温度検出部が前記所定時刻よりも第２時間遡った第２時刻に検出する前記低温水の温度に基づいて、前記熱交換器へ導かれる前記低温水の流量の異常を判定する判定工程と、を備え、
前記第１時間は、前記出湯温度検出部を通過した前記高温水が前記給湯温度検出部へ到達するまでの時間であり、
前記第２時間は、前記給水温度検出部を通過した前記低温水が前記バイパス管を介して前記給湯温度検出部へ到達するまでの時間であることを特徴とする給湯装置の制御方法。
【発明の詳細な説明】
【技術分野】
【０００１】
本発明は、給湯装置及び給湯装置の制御方法に関する。
【背景技術】
【０００２】
従来、給水配管から熱交換器へ導かれる水の流量と、給水配管からバイパス通路へ導かれる水の流量をバイパス弁により制御し、熱交換器で加熱された水とバイパス弁を通過した水を混合して所望の設定温度の湯を出湯する給湯装置が知られている（例えば、特許文献１参照）。このような給湯装置においては、バイパス弁が故障すると出湯する湯を所望の設定温度に調整することができず、高温の湯が出湯されてしまう危険性がある。
【０００３】
特許文献１に開示される給湯装置は、給水配管のバイパス通路への分岐位置よりも熱交換器側に流量センサを設け、流量センサが検知する水の流量から給湯温度の演算値を求める。給湯装置は、給湯温度の演算値と温度センサが検出する給湯温度とのずれが大きい場合にバイパス弁が故障であると判断する。
【先行技術文献】
【特許文献】
【０００４】
【特許文献１】特許第２５６０５７８号公報
【発明の概要】
【発明が解決しようとする課題】
【０００５】
特許文献１に開示される給湯装置は、給水配管のバイパス通路への分岐位置よりも熱交換器側に流量センサを設けている。しかしながら、給水配管へ供給される水の全流量を検知するために、給水配管のバイパス通路への分岐位置よりも上流側に流量センサを設ける場合がある。この場合、熱交換器へ流入する水の流量を検出できないため、バイパス弁の故障を判断することができない。
【０００６】
また、温度センサが検出する給湯温度が急速に上昇した場合に、バイパス弁の故障を判断する方法が考えられる。しかしながら、バイパス弁の故障に応じて給湯温度が緩やかに上昇する場合もあり、このような場合にはバイパス弁が異常であると判断することができない。また、バイパス弁が異常であると判断する時点で給湯温度が高温（例えば、９０℃）となっている場合があり、バイパス弁の異常を早期に検出することができない。
【０００７】
本発明は、前記課題を解決するためになされたものであり、熱交換器へ導かれる低温水の流量の異常を早期かつ確実に判定することが可能な給湯装置及びその制御方法を提供することを目的とする。
【課題を解決するための手段】
【０００８】
前記課題は、本発明によれば、バーナと、前記バーナが発生する熱により内部を流通する水を加熱する熱交換器と、前記熱交換器へ低温水を供給する入口管と、前記熱交換器から高温水を排出する出口管と、前記入口管と前記出口管とを接続するとともに前記熱交換器を通過させずに前記入口管から前記出口管へ前記低温水を導くバイパス管と、前記入口管へ供給される前記低温水の温度を検出する給水温度検出部と、前記出口管から排出される前記高温水の温度を検出する出湯温度検出部と、前記出口管から排出される前記高温水と前記バイパス管から前記出口管へ導かれる前記低温水とを混合した混合水の温度を検出する給湯温度検出部と、前記入口管から前記バイパス管へ導かれる前記低温水の流量を調整する調整弁と、前記調整弁を制御する制御部と、前記給湯温度検出部が所定時刻に検出する前記混合水の温度と、前記出湯温度検出部が前記所定時刻よりも第１時間遡った第１時刻に検出する前記高温水の温度と、前記給水温度検出部が前記所定時刻よりも第２時間遡った第２時刻に検出する前記低温水の温度に基づいて、前記熱交換器へ導かれる前記低温水の流量の異常を判定する判定部と、を備え、前記第１時間は、前記出湯温度検出部を通過した前記高温水が前記給湯温度検出部へ到達するまでの時間であり、前記第２時間は、前記給水温度検出部を通過した前記低温水が前記バイパス管を介して前記給湯温度検出部へ到達するまでの時間であることを特徴とする給湯装置により解決される。
【０００９】
本発明に係る給湯装置によれば、熱交換器へ導かれる低温水の流量の異常を、混合水の温度だけでなく、入口管に供給される低温水の温度及び熱交換器から排出される高温水の温度を考慮して判定している。そのため、混合水の温度が緩やかに上昇する場合であっても、熱交換器へ導かれる低温水の流量の異常を確実に判定することができる。また、入口管に供給される低温水の温度はバイパス管を介して給湯温度検出部へ到達するまでの時間遅れを考慮した温度となっており、熱交換器から排出される高温水の温度は高温水が給湯温度検出部へ到達するまでの時間遅れを考慮した温度となっている。そのため、熱交換器へ導かれる低温水の流量の異常を、時間遅れを考慮して早期に判定することができる。
【００１０】
本発明に係る給湯装置において、好ましくは、前記判定部は、バイパス比演算値に基づいて前記低温水の流量の異常を判定し、前記バイパス比演算値は、前記出湯温度検出部が前記第１時刻に検出する前記高温水の温度から前記給湯温度検出部が前記所定時刻に検出する前記混合水の温度を減算した第１温度を、前記給湯温度検出部が前記所定時刻に検出する前記混合水の温度から前記給水温度検出部が前記第２時刻に検出する前記低温水の温度を減算した第２温度で除した値であることを特徴とする。
【００１１】
本構成の給湯装置によれば、第１温度を第２温度で除した値から、入口管から熱交換器へ供給される低温水の流量に対する入口管からバイパス管へ導かれる低温水の流量の比率を示すバイパス比演算値が得られる。このバイパス値演算値は、熱交換器へ導かれる低温水の流量の異常がない場合と異常がある場合とで異なった値となる。したがって、バイパス比演算値に基づいて熱交換器へ供給される低温水の流量の異常を判定することができる。
【００１２】
本発明に係る給湯装置において、好ましくは、前記判定部は、前記バイパス比演算値からバイパス比指示値を減算した値が所定の閾値以上となる場合に、前記低温水の流量が異常であると判定し、前記バイパス比指示値は、前記調整弁の開度から算出される値であって、前記熱交換器へ供給される前記低温水の流量に対する前記バイパス管へ導かれる前記低温水の流量の比率を示す値であることを特徴とする。
【００１３】
本構成の給湯装置によれば、調整弁の開度によりバイパス管へ導かれる低温水の流量が調整されるため、調整弁の開度から熱交換器へ供給される低温水の流量に対するバイパス管へ導かれる低温水の流量の比率を示すバイパス比指示値が得られる。このバイパス比指示値は、熱交換器へ導かれる低温水の流量の異常がある場合には、バイパス比演算値と異なる値となる。したがって、バイパス比演算値からバイパス比指示値を減算した値から、熱交換器へ供給される低温水の流量の異常を判定することができる。
【００１４】
本発明に係る給湯装置において、好ましくは、前記制御部は、前記判定部が前記熱交換器に導かれる前記低温水の流量が異常であると判定した場合に、前記バーナによる燃焼動作を停止させるよう制御することを特徴とする。
本構成の給湯装置によれば、例えば、小流量の低温水が熱交換器内で沸騰して内圧が上昇し、沸騰した高温水が給湯温度検出部まで導かれる不具合を抑制することができる。
【００１５】
本発明に係る給湯装置において、好ましくは、前記調整弁は、ステッピングモータを回転させることにより開度を調整可能であり、前記制御部は、前記判定部が前記熱交換器に導かれる前記低温水の流量が異常であると判定した場合に、前記ステッピングモータが所定の初期状態となるように制御することを特徴とする。
本構成の給湯装置によれば、熱交換器に導かれる前記低温水の流量が異常であると判定された場合に、ステッピングモータが所定の初期状態となるため、脱調や断線による調整弁の開度の異常を適切に補正することができる。
【００１６】
本発明に係る給湯装置において、好ましくは、前記給湯温度検出部が前記所定時刻に検出する前記混合水の温度と、前記出湯温度検出部が前記第１時刻に検出する前記高温水の温度と、前記給水温度検出部が前記第２時刻に検出する前記低温水の温度とに基づいて、前記調整弁の異常を判定することを特徴とする。
本構成の給湯装置によれば、混合水の温度が緩やかに上昇する場合であっても、調整弁の異常を確実に判定することができる。また、調整弁の異常を、時間遅れを考慮して早期に判定することができる。
【００１７】
前記課題は、本発明によれば、給湯装置の制御方法であって、前記給湯装置は、バーナと、前記バーナが発生する熱により内部を流通する水を加熱する熱交換器と、前記熱交換器へ低温水を供給する入口管と、前記熱交換器から高温水を排出する出口管と、前記入口管と前記出口管とを接続するとともに前記熱交換器を通過させずに前記入口管から前記出口管へ前記低温水を導くバイパス管と、前記入口管へ供給される前記低温水の温度を検出する給水温度検出部と、前記出口管から排出される前記高温水の温度を検出する出湯温度検出部と、前記出口管から排出される前記高温水と前記バイパス管から前記出口管へ導かれる前記低温水とを混合した混合水の温度を検出する給湯温度検出部と、前記入口管から前記バイパス管へ導かれる前記低温水の流量を調整する調整弁と、を有し、前記給湯温度検出部が所定時刻に検出する前記混合水の温度と、前記出湯温度検出部が前記所定時刻よりも第１時間遡った第１時刻に検出する前記高温水の温度と、前記給水温度検出部が前記所定時刻よりも第２時間遡った第２時刻に検出する前記低温水の温度に基づいて、前記熱交換器へ導かれる前記低温水の流量の異常を判定する判定工程と、を備え、前記第１時間は、前記出湯温度検出部を通過した前記高温水が前記給湯温度検出部へ到達するまでの時間であり、前記第２時間は、前記給水温度検出部を通過した前記低温水が前記バイパス管を介して前記給湯温度検出部へ到達するまでの時間であることを特徴とする給湯装置の制御方法により解決される。
本構成の給湯装置の制御方法によれば、熱交換器へ導かれる低温水の流量の異常を早期かつ確実に判定することができる。
【発明の効果】
【００１８】
本発明によれば、熱交換器へ導かれる低温水の流量の異常を早期かつ確実に判定することが可能な給湯装置及びその制御方法を提供することができる。
【図面の簡単な説明】
【００１９】
【図１】本発明の一実施形態に係る給湯装置を示す概略構成図である。
【図２】給湯装置の制御構成を示す概略構成図である。
【図３】制御装置が実行する処理を示すフローチャートである。
【図４】温度とバイパス比の時刻変化の一例を示すグラフである。
【発明を実施するための形態】
【００２０】
以下に、本発明の好ましい実施形態を、図面を参照して詳しく説明する。なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２１】
以下、本発明に係る給湯装置１０１の一実施形態について、図面を参照して説明する。
図１は、本実施形態に係る給湯装置１０１を示す概略構成図である。
給湯装置１０１の燃焼室１０２には、第１バーナ１０３と、第２バーナ１０４と、給湯潜熱熱交換器１０５と、給湯熱交換器１０６と、が設けられている。また、給湯装置１０１には、点火プラグ１１５と、フレームロッド１１６と、過熱防止装置（温度ヒューズ）１１７と、が取り付けられている。
【００２２】
第１バーナ１０３および第２バーナ１０４は、給湯熱交換器１０６の近傍に設けられ、給湯熱交換器１０６を加熱する。給湯熱交換器１０６は、多数のフィンを有し、第１バーナ１０３および第２バーナ１０４の少なくともいずれかが発生する熱により内部を流通する水を加熱する。給湯潜熱熱交換器１０５は、給湯熱交換器１０６の上側に設けられ、燃焼室１０２の排ガスに含まれる潜熱により、内部を流通する水を加熱する。すなわち、給湯潜熱熱交換器１０５は、第１バーナ１０３および第２バーナ１０４の少なくともいずれかの燃焼により給湯熱交換器１０６が熱交換を行った後の燃焼排気と接触する位置に設けられている。このようにして、給湯装置１０１は、第１バーナ１０３および第２バーナ１０４の少なくともいずれかの燃焼により、供給された水を加熱することができる。
【００２３】
燃焼室１０２には、燃焼ファン１０８と、ガス管２０１と、が接続されている。ガス管２０１は、第１のガス分岐管２０２および第２のガス分岐管２０３を介して燃焼室１０２に接続されている。
【００２４】
燃焼ファン１０８は、第１バーナ１０３および第２バーナ１０４の燃焼に必要な空気を燃焼室１０２に送る。ガス管２０１は、第１のガス分岐管２０２と、第２のガス分岐管２０３と、に分岐している。ガス管２０１は、第１のガス分岐管２０２を介して、第１バーナ１０３に対して燃焼に必要なガスを導く。また、ガス管２０１は、第２のガス分岐管２０３を介して、第２バーナ１０４に対して燃焼に必要なガスを導く。
【００２５】
ガス管２０１には、元ガス電磁弁１１１と、ガス比例弁１１２と、が設けられている。第１のガス分岐管２０２には、第１のガス電磁弁１１３が設けられている。第２のガス分岐管２０３には、第２のガス電磁弁１１４が設けられている。元ガス電磁弁１１１は、第１バーナ１０３および第２バーナ１０４に対するガスの供給および停止を制御する。ガス比例弁１１２は、対応する第１バーナ１０３および第２バーナ１０４への供給燃料量を弁開度でもって制御する。第１のガス電磁弁１１３および第２のガス電磁弁１１４は、対応する第１バーナ１０３および第２バーナ１０４への燃料供給・停止を制御する。
【００２６】
給湯装置１０１の燃焼室１０２には、ドレン（水）の受け部としての給湯受け皿１２５がさらに設けられている。燃焼室１０２において燃焼排気中に存在する水蒸気が比較的低い温度の給湯潜熱熱交換器１０５の表面で結露し滴下すると、滴下したドレンは、給湯受け皿１２５に溜められる。給湯受け皿１２５は、ドレン排出管（図示略）を通して中和器（図示略）に接続されている。
【００２７】
給湯潜熱熱交換器１０５の入口管２０４は、給湯潜熱熱交換器１０５及び給湯熱交換器１０６へ水（低温水）を供給する配管である。入口管２０４には、給水サーミスタ（給水温度検出部）１２０と、水量センサ１２１と、バイパスサーボ（調整弁）１２２と、が設けられている。給水サーミスタ１２０は、入口管２０４へ供給される水（低温水）の温度を検出する。水量センサ１２１は、給湯潜熱熱交換器１０５の入口管２０４を流れる水（低温水）の流量を検出する。
【００２８】
バイパスサーボ１２２は、給湯潜熱熱交換器１０５の入口管２０４と、バイパス管２１１と、の接続部に設けられ、入口管２０４からバイパス管２１１に導かれる水（低温水）の量を制御する。バイパス管２１１は、給湯潜熱熱交換器１０５の入口管２０４と、給湯熱交換器１０６の出口管２０７とを接続する配管である。バイパス管２１１は、給湯潜熱熱交換器１０５及び給湯熱交換器１０６を通過させずに入口管２０４から出口管２０７へ水（低温水）を導く。
【００２９】
給湯潜熱熱交換器１０５の入口管２０４は、給湯潜熱熱交換器１０５の出口管２０５に接続されている。給湯潜熱熱交換器１０５の出口管２０５の端部には、水抜き栓１２７が設けられている。また、給湯潜熱熱交換器１０５の出口管２０５には、給湯潜熱熱交換器１０５の出口管２０５から分岐した給湯熱交換器１０６の入口管２０６が接続されている。給湯熱交換器１０６の入口管２０６には、水管サーミスタ１１８が設けられている。水管サーミスタ１１８は、給湯熱交換器１０６の入口管２０６を流れる水の温度を検出する。
【００３０】
給湯熱交換器１０６の入口管２０６は、給湯熱交換器１０６の出口管２０７に接続されている。出口管２０７は、給湯熱交換器１０６から加熱された水（高温水）を排出する配管である。給湯熱交換器１０６の出口管２０７には、熱交換サーミスタ（出湯温度検出部）１１９と、給湯サーミスタ（給湯温度検出部）１２３と、湯量サーボ１２４と、が設けられている。
【００３１】
熱交換サーミスタ１１９は、給湯熱交換器１０６の出口管２０７から排出される水であって、給湯熱交換器１０６を通過した直後の水（高温水）の温度を検出する。給湯サーミスタ１２３は、給湯熱交換器１０６の出口管２０７から排出される水（高温水）とバイパス管２１１から出口管２０７へ導かれる水（低温水）とを混合した水（混合水）の温度を検出する。湯量サーボは、給湯管２１２及び給湯管２１３に導かれる湯の量を制御する。
【００３２】
給湯装置１０１は、給湯装置１０１の各部を制御する制御装置１３０を備える。図２は、給湯装置１０１の制御構成を示す概略構成図である。図２に示すように、制御装置１３０は、ＣＰＵ等の演算処理装置で構成される制御部１３１と、判定部１３２と、記憶部１３３と、を備える。判定部１３２は、例えば、制御装置１３０が実行するプログラムとして実装されている。
【００３３】
制御部１３１は、給湯装置１０１の各部を制御するものである。制御部１３１は、入口管２０４からバイパス管２１１へ導かれる水（低温水）の流量が所定の目標流量となるようにバイパスサーボ１２２を制御する。バイパスサーボ１２２は、ステッピングモータ（図示略）を正回転または逆回転させることにより開度を調整する弁である。制御部１３１は、バイパスサーボ１２２にステッピングモータを回転させるためのパルス信号を送信することにより、バイパスサーボ１２２の開度を調整する。
【００３４】
判定部１３２は、入口管２０４から給湯潜熱熱交換器１０５及び給湯熱交換器１０６へ導かれる水の流量の異常を判定するものである。給湯潜熱熱交換器１０５及び給湯熱交換器１０６へ導かれる水の流量の異常とは、例えば、バイパスサーボ１２２の故障等により、給湯潜熱熱交換器１０５及び給湯熱交換器１０６へ導かれる水の流量が極端に少なくなる異常である。給湯潜熱熱交換器１０５及び給湯熱交換器１０６へ導かれる水の流量が極端に少なくなると、給湯熱交換器１０６で加熱された水が蒸発して給湯熱交換器１０６の内圧が上昇し、沸騰した高温水が給湯サーミスタまで導かれてしまう。この場合、上昇した内圧によりバイパス管２１１から出口管２０７へ水（低温水）が流入しない状態が発生し、給湯管２１２及び給湯管２１３へ沸騰した高温水が導かれる可能性がある。
【００３５】
本実施形態の給湯装置１０１は、水量センサ１２１により入口管２０４へ供給される水の全量を測定できるが、給湯潜熱熱交換器１０５及び給湯熱交換器１０６へ導かれる水の流量を測定することはできない。そこで、本実施形態の給湯装置１０１は、バイパス比演算値Ｂｐｃａｌｃとバイパス比指示値Ｂｐｎｏｗを算出して、給湯潜熱熱交換器１０５及び給湯熱交換器１０６へ導かれる水の流量の異常を判定する。
【００３６】
判定部１３２は、バイパス比演算値Ｂｐｃａｌｃとバイパス比指示値Ｂｐｎｏｗを算出し、これらに基づいて、入口管２０４から給湯潜熱熱交換器１０５及び給湯熱交換器１０６へ導かれる水の流量の異常を判定する。ここで、バイパス比は、入口管２０４から給湯潜熱熱交換器１０５及び給湯熱交換器１０６へ供給される水（低温水）の流量に対する入口管２０４からバイパス管２１１へ導かれる水（低温水）の流量の比率をいう。
【００３７】
バイパス比指示値Ｂｐｎｏｗは、バイパスサーボ１２２の開度から算出される値である。バイパスサーボ１２２の開度が０（全閉）である場合、バイパス管２１１に水（低温水）が導かれない。そのため、バイパス比指示値Ｂｐｎｏｗは０となる。バイパスサーボ１２２の開度が全開である場合、バイパス管２１１に給湯装置１０１で予め定められた流量の水（低温水）が導かれる。この場合、バイパス比指示値Ｂｐｎｏｗは、例えば、３〜４程度の予め定められた値となる。判定部１３２は、バイパスサーボ１２２の開度とバイパス比との関係を示すテーブルを記憶部１３３から読み出して、現在のバイパスサーボ１２２の開度と対比することにより、バイパス比指示値Ｂｐｎｏｗを算出する。
【００３８】
バイパス比演算値Ｂｐｃａｌｃは、水の温度に基づいて演算により算出されるバイパス比である。判定部１３２は、給水サーミスタ１２０が検出する入口管２０４を流通する水（低温水）の温度と、熱交換サーミスタ１１９が検出する給湯熱交換器１０６により加熱された水（高温水）の温度と、給湯サーミスタ１２３が検出する水（混合水）の温度とに基づいて、バイパス比演算値Ｂｐｃａｌｃを算出する。
【００３９】
具体的に、判定部１３２は、以下の式（１）によりバイパス比演算値Ｂｐｃａｌｃを算出する。
Ｂｐｃａｌｃ＝（Ｔｈｅｘ（Δ１）‐Ｔｏｕｔ）／（Ｔｏｕｔ−Ｔｉｎ（Δ２））  （１）
ここで、Ｔｏｕｔは、給湯サーミスタ１２３が所定時刻Ｔｎｏｗに検出する水（混合水）の温度である。Ｔｈｅｘ（Δ１）は、熱交換サーミスタ１１９が所定時刻Ｔｎｏｗよりも第１時間Δ１遡った時刻（第１時刻）に検出する水（高温水）の温度である。Ｔｉｎ（Δ２）は、給水サーミスタ１２０が所定時刻Ｔｎｏｗよりも第２時間Δ２遡った時刻（第２時刻）に検出する水（低温水）の温度である。
【００４０】
第１時間Δ１は、熱交換サーミスタ１１９を通過した水（高温水）が給湯サーミスタ１２３へ到達するまでの時間である。第２時間Δ２は、給水サーミスタ１２０を通過した水（低温水）がバイパス管２１１を介して給湯サーミスタ１２３へ到達するまでの時間である。第１時間Δ１及び第２時間Δ２は、それぞれ以下の式（２），（３）により判定部１３２が算出する。
Δ１＝Ｕ１／（Ｗ／（１＋Ｂｐｎｏｗ））                  （２）
Δ２＝Ｚ１／（Ｗ・Ｂｐｎｏｗ／（１＋Ｂｐｎｏｗ））      （３）
【００４１】
ここで、Ｕ１は、熱交換サーミスタ１１９から給湯サーミスタ１２３に至るまでの領域で出口管２０７が保持する水（高温水）の容積である。Ｚ１は、給水サーミスタ１２０から給湯サーミスタ１２３に至るまでの領域で入口管２０４とバイパス管２１１と出口管２０７が保持する水（低温水）の容積である。Ｕ１及びＺ１の値は、予め測定しておいて記憶部１３３に記憶させておくものとする。Ｗは、入口管２０４へ供給される水（低温水）の流量[Ｌ／ｓｅｃ]である。Ｗは、水量センサ１２１により検出される。
【００４２】
判定部１３２は、記憶部１３３に記憶されたＵ１及びＺ１と、水量センサ１２１から得たＷと、予め算出したバイパス比指示値Ｂｐｎｏｗと、に基づいて、式（２），（３）から第１時間Δ１及び第２時間Δ２を算出する。判定部１３２は、第１時間Δ１から、熱交換サーミスタ１１９が所定時刻Ｔｎｏｗよりも第１時間Δ１遡った時刻（第１時刻）に検出する水（高温水）の温度Ｔｈｅｘ（Δ１）を得る。同様に、判定部１３２は、第２時間Δ２から、給水サーミスタ１２０が所定時刻Ｔｎｏｗよりも第２時間Δ２遡った時刻（第２時刻）に検出する水（低温水）の温度Ｔｉｎ（Δ２）を得る。
【００４３】
熱交換サーミスタ１１９が検出した温度は、温度を検出した時刻を示す時刻情報とともに現在時刻から所定期間（例えば、２０秒間）まで遡って記憶部１３３に記憶させておく。同様に、給水サーミスタ１２０が検出した温度は、温度を検出した時刻を示す時刻情報とともに現在時刻から所定期間まで遡って記憶部１３３に記憶させておく。判定部１３２は、記憶部１３３に記憶された複数の時刻の温度の中から、所定時刻Ｔｎｏｗよりも第１時間Δ１遡った時刻（第１時刻）に検出する水（高温水）の温度Ｔｈｅｘ（Δ１）を得る。また、判定部１３２は、記憶部１３３に記憶された複数の時刻の温度の中から、所定時刻Ｔｎｏｗよりも第２時間Δ２遡った時刻（第２時刻）に検出する水（低温水）の温度Ｔｉｎ（Δ２）を得る。そして、判定部１３２は、式（１）からバイパス比演算値Ｂｐｃａｌｃを算出する。
【００４４】
次に、制御装置１３０が実行する処理について、図３のフローチャートを参照して説明する。
ステップＳ３０１で、判定部１３２は、バイパスサーボ１２２の開度とバイパス比との関係を示すテーブルを記憶部１３３から読み出して、現在のバイパスサーボ１２２の開度と対比することにより、バイパス比指示値Ｂｐｎｏｗを算出する。
ステップＳ３０２で、判定部１３２は、式（１）によりバイパス比演算値Ｂｐｃａｌｃを算出する。
【００４５】
ステップＳ３０３で、判定部１３２は、バイパス比演算値Ｂｐｃａｌｃからバイパス比指示値Ｂｐｎｏｗを減算した値がバイパス比閾値Ｂｐｔｈ以上であるかどうかを判断する。判定部１３２は、ＹＥＳであればステップＳ３０４へ処理を進め、ＮＯであれば再びステップＳ３０１を実行する。バイパスサーボ１２２のバイパス比が３．８である場合にバイパス比指示値Ｂｐｎｏｗが０（ゼロ）であるにもかかわらずバイパス比演算値Ｂｐｃａｌｃが３．８である場合には脱調等制御系部品の破損が考えられるが、バイパス比演算値Ｂｐｃａｌｃが４（バイパス比演算値Ｂｐｃａｌｃからバイパス比指示値Ｂｐｎｏｗを減算した値が４）である場合には明らかに異常な状態である。そこでバイパス比閾値Ｂｐｔｈとして、例えば３〜５の任意の値を設定することができる。
【００４６】
ここで、バイパス比閾値Ｂｐｔｈの中央値である４は、バイパスサーボ１２２の開度を最大とした場合（例えば、制御系部品の破損等によって最大となってしまった場合）のバイパス比の値（バイパス比の最大値）である。バイパス比演算値Ｂｐｃａｌｃからバイパス比指示値Ｂｐｎｏｗを減算した値が、バイパス比の最大値である４を超える場合、破損以外の異なる要因により、給湯熱交換器１０６で加熱された水が沸騰する現象が発生していることが明らかである。そこで、入口管２０４から給湯潜熱熱交換器１０５及び給湯熱交換器１０６へ導かれる水の流量が異常であることを判定するために、給湯熱交換器１０６で加熱された水が沸騰する現象が発生している、あるいはそのような現象が発生する可能性が高いことを示すバイパス比閾値Ｂｐｔｈを設定している。
【００４７】
例えば、比例−積分−微分制御（ＰＩＤ制御）の積分制御を用いて（特に、過去のデータを重視した積分動作を用いて、たとえバイパス比閾値Ｂｐｔｈが３以下であったとしても）、バイパス比閾値Ｂｐｔｈが４を超える現象（沸騰発生）を予測したときに、バイパス比閾値Ｂｐｔｈ以上であると判断してもよい。
【００４８】
また、以上の説明では、バイパス比閾値Ｂｐｔｈとして、バイパス比の最大値を中心とした範囲の値を採用したが、他の態様であってもよい。例えば、入口管２０４から給湯潜熱熱交換器１０５及び給湯熱交換器１０６へ導かれる水の流量の異常によって沸騰現象が起きていること、沸騰現象が起きる可能性が高いこと、沸騰現象が起きると予測されること等、沸騰現象を示す他の閾値をバイパス比閾値Ｂｐｔｈとして採用してもよい。
また、ステップＳ３０３において、判定部１３２は、バイパス比演算値Ｂｐｃａｌｃをバイパス比指示値Ｂｐｎｏｗで除算した値をもってバイパス比閾値Ｂｐｔｈ以上であるかどうかを判断するようにしてもよい。
【００４９】
また、以上の説明では、バイパス比の最大値（湯水混合比の最大値）が４である場合について説明したが、バイパス比の最大値（給湯装置の湯水混合比の最大値）が他の値である給湯装置においては、その給湯装置のバイパス比の最大値（湯水混合比の最大値）に適したバイパス比閾値Ｂｐｔｈを設定する。例えば、バイパス比の最大値（湯水混合比の最大値）が１０である場合、バイパス比閾値Ｂｐｔｈとして１０を中心とした範囲（例えば、８〜１２）から任意の値を採用するものとする。
【００５０】
判定部１３２は、バイパス比演算値Ｂｐｃａｌｃからバイパス比指示値Ｂｐｎｏｗを減算した値がバイパス比閾値Ｂｐｔｈ以上であるか場合に、入口管２０４から給湯潜熱熱交換器１０５及び給湯熱交換器１０６へ導かれる水の流量が異常であると判定している。入口管２０４から給湯潜熱熱交換器１０５及び給湯熱交換器１０６へ導かれる水の流量に異常がなければ、バイパス比演算値Ｂｐｃａｌｃとバイパス比指示値Ｂｐｎｏｗは同程度となる。
【００５１】
バイパスサーボ１２２が全開状態で故障した場合、制御部１３１がバイパスサーボ１２２を全閉となるように制御すると、バイパス比指示値Ｂｐｎｏｗは０となる。この場合、バイパスサーボ１２２が全開状態であるため、入口管２０４から給湯潜熱熱交換器１０５及び給湯熱交換器１０６へ導かれる水の流量が少なくなり、バイパス比演算値Ｂｐｃａｌｃの値が大きくなる。
【００５２】
ここでは、入口管２０４から給湯潜熱熱交換器１０５及び給湯熱交換器１０６へ導かれる水の流量の異常は、バイパスサーボ１２２の故障によるものとしたが、他の要因も考えられる。例えば、入口管２０４、出口管２０７、バイパス管２１１の一部が凍結して水が流通不能となることも異常の要因となる。
【００５３】
ステップＳ３０４で、制御部１３１は、入口管２０４から給湯潜熱熱交換器１０５及び給湯熱交換器１０６へ導かれる水の流量に異常があるため、第１バーナ１０３の燃焼動作を停止させる。
ステップＳ３０５で、制御部１３１は、入口管２０４から給湯潜熱熱交換器１０５及び給湯熱交換器１０６へ導かれる水の流量に異常があるため、第２バーナ１０４の燃焼動作を停止させる。
【００５４】
ステップＳ３０６で、制御部１３１は、バイパスサーボ１２２を駆動するステッピングモータが所定の初期状態となるように制御する。所定の初期状態とは、ステッピングモータが原点位置を確実に認識した状態をいう。給湯潜熱熱交換器１０５及び給湯熱交換器１０６へ導かれる水の流量の異常が、ステッピングモータの脱調や断線等を原因としたものである場合、ステッピングモータを所定の初期状態とすることで不具合を解消することができる。
【００５５】
ここで、温度とバイパス比の時刻変化の一例について、図４を参照して説明する。図４は、本実施形態の図３に示す処理を行わずに、入口管２０４から給湯潜熱熱交換器１０５及び給湯熱交換器１０６へ導かれる水を加熱した例を示す。図４に示す例は、バイパスサーボ１２２が全開状態で故障している例である。
【００５６】
給湯装置１０１が動作を開始して第１バーナ１０３及び第２バーナ１０４による燃焼動作を行うと、熱交換サーミスタ１１９が検出する温度と、給湯サーミスタ１２３が検出する温度が上昇する。時刻ｔ２に至るまでは、バイパス比指示値Ｂｐｎｏｗが０である。これは、制御部１３１がバイパスサーボ１２２の開度を０（全閉）とするように制御していることを示す。
【００５７】
しかしながら、実際にはバイパスサーボ１２２が全開状態で故障しているため、バイパス比演算値Ｂｐｃａｌｃが時刻ｔ１から急上昇する。これは、バイパスサーボ１２２が全開状態であり、入口管２０４から給湯潜熱熱交換器１０５及び給湯熱交換器１０６へ導かれる水の流量が少なくなっているためである。
【００５８】
図４に示す例では、バイパス比演算値Ｂｐｃａｌｃからバイパス比指示値Ｂｐｎｏｗを減算した値がバイパス比閾値Ｂｐｔｈ以上となっても第１バーナ１０３及び第２バーナ１０４による燃焼動作を停止させていない。そのため、時刻ｔ２を過ぎた直後に熱交換サーミスタ１１９が検出する温度と、給湯サーミスタ１２３が検出する温度が最大値となる。熱交換サーミスタ１１９の温度は、内部で水が沸騰する温度まで上昇してしまう。
【００５９】
本実施形態では、判定部１３２は、バイパス比演算値Ｂｐｃａｌｃからバイパス比指示値Ｂｐｎｏｗを減算した値がバイパス比閾値Ｂｐｔｈ以上であるか場合に、入口管２０４から給湯潜熱熱交換器１０５及び給湯熱交換器１０６へ導かれる水の流量が異常であると判定している。そのため、図４で時刻ｔ１から時刻ｔ２に至るまでの時点で異常であると判定し、第１バーナ１０３及び第２バーナ１０４による燃焼動作を停止させることができる。よって、時刻ｔ２を過ぎた直後に熱交換サーミスタ１１９が検出する温度と、給湯サーミスタ１２３が検出する温度が最大値となる不具合が生じることがない。
【００６０】
以上説明した本実施形態の給湯装置１０１が奏する作用および効果について説明する。
本実施形態の給湯装置１０１によれば、給湯潜熱熱交換器１０５及び給湯熱交換器１０６へ導かれる水（低温水）の流量の異常を、給湯サーミスタ１２３が検出する水（混合水）の温度だけでなく、入口管２０４に供給される水（低温水）の温度及び給湯熱交換器１０６から排出される水（高温水）の温度を考慮して判定している。そのため、給湯サーミスタ１２３が検出する水（混合水）の温度が緩やかに上昇する場合であっても、給湯潜熱熱交換器１０５及び給湯熱交換器１０６へ導かれる水（低温水）の流量の異常を確実に判定することができる。
【００６１】
また、入口管２０４に供給される水（低温水）の温度はバイパス管２１１を介して給湯サーミスタ１２３へ到達するまでの時間遅れを考慮した温度となっており、給湯潜熱熱交換器１０５及び給湯熱交換器１０６から排出される水（高温水）の温度は水が給湯サーミスタ１２３へ到達するまでの時間遅れを考慮した温度となっている。そのため、給湯潜熱熱交換器１０５及び給湯熱交換器１０６へ導かれる水（低温水）の流量の異常を、時間遅れを考慮して早期に判定することができる。
【００６２】
本実施形態の給湯装置１０１によれば、式（１）により、入口管２０４から給湯潜熱熱交換器１０５及び給湯熱交換器１０６へ供給される水（低温水）の流量に対する入口管２０４からバイパス管２１１へ導かれる水（低温水）の流量の比率を示すバイパス比演算値Ｂｐｃａｌｃが得られる。このバイパス値演算値Ｂｐｃａｌｃは、給湯潜熱熱交換器１０５及び給湯熱交換器１０６へ導かれる水（低温水）の流量の異常がない場合と異常がある場合とで異なった値となる。したがって、バイパス比演算値Ｂｐｃａｌｃに基づいて給湯潜熱熱交換器１０５及び給湯熱交換器１０６へ供給される水（低温水）の流量の異常を判定することができる。
【００６３】
本実施形態の給湯装置１０１によれば、バイパスサーボ１２２の開度によりバイパス管２１１へ導かれる水（低温水）の流量が調整されるため、バイパスサーボ１２２の開度から給湯潜熱熱交換器１０５及び給湯熱交換器１０６へ供給される水（低温水）の流量に対するバイパス管２１１へ導かれる水（低温水）の流量の比率を示すバイパス比指示値Ｂｐｎｏｗが得られる。このバイパス比指示値Ｂｐｎｏｗは、給湯潜熱熱交換器１０５及び給湯熱交換器１０６へ導かれる水（低温水）の流量の異常がある場合には、バイパス比演算値Ｂｐｃａｃｌと異なる値となる。したがって、バイパス比演算値Ｂｐｃａｌｃからバイパス比指示値Ｂｐｎｏｗを減算した値から、給湯潜熱熱交換器１０５及び給湯熱交換器１０６へ供給される水（低温水）の流量の異常を判定することができる。
【００６４】
本実施形態の給湯装置１０１によれば、制御部１３１は、判定部１３２が給湯潜熱熱交換器１０５及び給湯熱交換器１０６に導かれる水（低温水）の流量が異常であると判定した場合に、第１バーナ１０３及び第２バーナ１０４による燃焼動作を停止させるよう制御する。そのため、例えば、小流量の水が給湯潜熱熱交換器１０５及び給湯熱交換器１０６の内部で沸騰して内圧が上昇し、沸騰した水が給湯サーミスタ１２３まで導かれる不具合を抑制することができる。
【００６５】
本実施形態の給湯装置１０１によれば、給湯潜熱熱交換器１０５及び給湯熱交換器１０６に導かれる水（低温水）の流量が異常であると判定された場合に、ステッピングモータが所定の初期状態となる。そのため、脱調や断線によるバイパスサーボ１２２の開度の異常を適切に補正することができる。
【００６６】
ここで、本実施形態と特許文献１との差異について説明する。
特許文献１には、「熱交換器を有する給湯路と、熱交換器の入口側及び出口側をバイパスするよう給湯路に接続されたバイパス通路と、バイパス通路に設けたバイパス弁及びバイパス弁の開度を制御する弁制御装置と、熱交換器を通過する流量を検出する流量検知器と、入水温度を検知する入水温度検知器と、熱交換器からの出湯温度を検出する湯温検知器と、熱交換器から出湯された湯とバイパス通路を通過した水との混合温度を検出するミキシング温度検知器と、流量検知器、入水温度検知器、湯温検知器の各検出値及び弁制御装置によるバイパス弁の制御量から給湯温度を演算し、給湯温度の演算値とミキシング温度検知器で検知した給湯温度とを比較することによってバイパス弁の故障を検出する故障検出部とを備えたバイパスミキシング方式の給湯装置」が開示されている。
【００６７】
ＦＦ制御部１６へは疑似設定温度演算部１８の演算出力や入水温度センサ６及び流量センサ７の検知信号が出力されており、ＦＦ制御部１６は流量検知器、入水温度検知器のセンサ出力に基づいて熱交換器２からの出湯温度が疑似設定温度Ｔｐｓ（例えば８０℃）となるよう能力制御装置１４によりガスバーナ１３の燃焼力をフィードフォワード制御する。
【００６８】
特許文献１において、バイパス弁８に故障が発生すると、例えばＱｃｃ／Ｑｈ＝α（Ｎ）＝１（Ｔｐｓ＝８０℃  Ｔｃ＝２０℃）であるにもかかわらずＱｃ／Ｑｈ＝α（Ｎ）＝０．２の場合には熱湯が出湯され（例えば７０℃が出湯され）、Ｑｃ／Ｑｈ＝α（Ｎ）＝５の場合には湯とならない（例えば３０℃が出湯される）。
【００６９】
例えばＱｃ／Ｑｈ＝α（Ｎ）＝０．２の場合において、ミキシング温度検知器で検知した給湯温度がないと（ミキシング温度検知器で想定外の給湯温度が検知されないと）、故障検出部でバイパス弁の故障を検出、判断できないので、たとえ、バイパス弁に故障が発生した時に、直ちに熱交換器２の能力を小さくしたり（熱交換器２からの出湯温度を下げようとしても）、例えば給湯を中止（燃焼を中止）したりしても、すでに、熱交換器２の出口からミキシング温度センサ間の配管には高温の湯が満たされている結果、カランやシャワー等の給湯栓から、前記配管の湯が出終わるまで、高温の湯が吐出されるのを防止することができないという問題があった。
【００７０】
そもそも、ミキシング温度検知器で想定外の給湯温度が検知されないと、故障検出部でバイパス弁の故障を検出、判断できないのであるから、設定温度Ｔｓに対して想定外の混合温度Ｔｍが検出された場合に、異常と判断すれば良いだけであって、特許文献１の利点としては、修理員に対して、バイパス弁の交換指示ができるに止まっていた。
【００７１】
本実施形態は特許文献１の問題点を解決するために、給湯装置を通過する流量を検出する流量検知器を用いると共に、ＦＦ制御部は流量検知器、入水温度検知器のセンサ出力に基づいて給湯装置からの出湯温度が、設定温度Ｔｓとなるよう能力制御装置によりガスバーナ１３の燃焼力をフィードフォワード制御するようにした。このような構成とすれば、バイパス弁に故障が発生し、例えばＱｃ／Ｑｈ＝α（Ｎ）＝１であってもＱｃ／Ｑｈ＝α（Ｎ）＝０．２の場合であってもＱｃ／Ｑｈ＝α（Ｎ）＝５の場合であっても、熱交換器からの出湯温度が異なるのみで、給湯装置からの給湯温度は設定温度Ｔｓである為に、カランやシャワー等の給湯栓から、高温の湯が吐出されるのを確実に防止することができた。
【００７２】
ところが、本願発明者が前記バイパス弁の故障確認試験において、熱交換器からの出湯できない位にＱｃ／Ｑｈを変えた（例えばＱｈが０のように極端に少なくした）場合に、熱交換器からの湯の供給は極端に少なくミキシング温度に至ろうとする。しかし、次の瞬間に爆発的な速度で蒸気が発生し、そのエネルギーで、熱交換器からの湯の供給が極端に増加、減少する現象らしき事象が捉えられたため、熱交換器内でこのような事象が発生しているものと推定した。
【００７３】
本実施形態は、定常的な状態（熱交換器内でどんなに高温であろうとも湯が作られる状態）で安全に出湯するものにおいて、すなわち、ＦＦ制御部が給湯装置を通過する流量を検出する流量検知器、入水温度検知器、設定温度Ｔｓに基づいてフィードフォワード制御するが故にバイパス弁が故障しても支障が生じない機器・制御において、熱交換器内において蒸気が生成され、そのエネルギーで、熱交換器からの湯の供給が極端に増加、減少する現象を捉えようとするものであり、バイパス弁の故障程度が極端な故障状態であることを検知しようとするものである。
【００７４】
本願発明者はこのような極端な故障状態を把握する方法として、まず、バイパスサーボ開故障検知に熱交出湯温の温度勾配を使用することを試みた。そして、熱交出湯温が急速に上昇した場合、バイパスサーボ開故障によって熱交流量が少なくなり、高温になったと判断して燃焼を止めた。しかし、以下の点が問題点として挙げられた。
１．熱交出湯温度が緩やかに上昇し、異常を検知できない使用条件が存在すること。
２．異常時出湯直後はある程度まで通常出湯と同様の熱交温度遷移をするため、高温出湯される前までに異常を検知できないことがあること。
【００７５】
すなわち、鍋で湯を沸かしている時に、いきなり沸騰が生じる現象（突沸）が生じれば、熱交出湯温度が急激に上昇することがあるものの、通常は、鍋の底で小さい気泡が発生しては消え、発生しては消える現象が続き、その段階を経てやがて作られる気泡が大きくなり、気泡消失する時間がながくなり、そして、液面上に気泡がたどり着いて、沸騰が始まる。すなわち、熱交換器内の湯と気泡の総体積は徐々に大きくなり、そして、沸騰が始まってから蒸気が押し寄せて来るものと推定される。蒸気が押し寄せて来る前段階として、熱交換器内の湯と気泡（すぐに消失する小さな気泡）の総体積は徐々に大きくなると思われる。
【００７６】
つまり、与えた熱量（流量×（設定温度Ｔｓ−入水温度））に対して給湯装置からの出湯熱量（流量×（出湯温度−入水温度））が次第に大きくなる現象が、蒸気が押し寄せて来る前段階として起きるものと思われる。そこで、（流量×（設定温度Ｔｓ−入水温度））＜＜出湯熱量（流量×（出湯温度−入水温度））の条件の時に異常が生じているものとして蒸気が押し寄せて来る前段階として検知ができそうであったが、下記の理由により正確な判断が出来ないことが判明した。例えば燃焼開始時には熱交換器自体（銅）に熱を蓄えなければいけない為に（流量×（設定温度Ｔｓ−入水温度））＞＞出湯熱量（流量×（出湯温度−入水温度））の状態が続き、やがて（流量×（設定温度Ｔｓ−入水温度））＝出湯熱量（流量×（出湯温度−入水温度））となる。
【００７７】
この時、例えばＱｃ／Ｑｈ＝α（Ｎ）＝１の状態であったとすると、Ｑｃ／Ｑｈ＝α（Ｎ）＝０．２に変更すると、熱交換器内で作られつつあった湯、ないしは、熱交換器の出口からミキシング温度センサ間の配管が一時的に大量供給され、熱交換器内で新たに作られた温度の低い湯がミキシング温度センサに至るまで、（流量×（設定温度Ｔｓ−入水温度））＜＜出湯熱量（流量×（出湯温度−入水温度））の状態が生じる。
【００７８】
すなわち、単純に（流量×（設定温度Ｔｓ−入水温度））＜＜出湯熱量（流量×（出湯温度−入水温度））の状態が生じたからと言って異常であるとは言えない。そこで、本願発明者は、Ｑｃ／Ｑｈ＝α（Ｎ）の許容動作範囲と、その動作範囲以内の（流量×（設定温度Ｔｓ−入水温度））＜＜出湯熱量（流量×（出湯温度−入水温度））であるか否かに基づいて、バイパス弁の故障程度が極端な故障状態（許容動作範囲外＝バイパス比指示値Ｂｐｎｏｗから大きく逸脱した状態）であることを検知する本実施形態に至った。
【００７９】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【００８０】
以上の説明において、判定部１３２は、バイパス比演算値Ｂｐｃａｌｃからバイパス比指示値Ｂｐｎｏｗを減算した値がバイパス比閾値Ｂｐｔｈ以上であるか場合に、入口管２０４から給湯潜熱熱交換器１０５及び給湯熱交換器１０６へ導かれる水の流量が異常であると判定するものとしたが、他の態様であってもよい。例えば、バイパス比演算値Ｂｐｃａｌｃが所定の閾値以上である場合に、入口管２０４から給湯潜熱熱交換器１０５及び給湯熱交換器１０６へ導かれる水の流量が異常であると判定してもよい。
【符号の説明】
【００８１】
１０１・・・給湯装置、  １０３・・・第１バーナ、  １０４・・・第２バーナ、  １０５・・・給湯潜熱熱交換器、  １０６・・・給湯熱交換器、  １１９・・・熱交換サーミスタ、  １２０・・・給水サーミスタ、  １２１・・・水量センサ、  １２２・・・バイパスサーボ、  １２３・・・給湯サーミスタ、  １３０・・・制御装置、  １３１・・・制御部、  １３２・・・判定部、  １３３・・・記憶部、  ２０４・・・入口管、  ２０７・・・出口管、  ２１１・・・バイパス管、  Ｂｐｃａｌｃ・・・バイパス比演算値、  Ｂｐｎｏｗ・・・バイパス比指示値、  Ｂｐｔｈ・・・バイパス比閾値
【図１】
2020051686.tif 000003
【図２】
2020051686.tif 000004
【図３】
2020051686.tif 000005
【図４】
2020051686.tif 000006